(57)【要約】【課題】  リブなしの高精度駆動伝達要素を用い、１回転の整数分の１の周期で速度変動を簡単に発生させ、かつ、この周期を露光〜転写間時間の整数分の１として、色ズレの小さなタンデム型のカラー画像形成装置を提供することを課題とする。【解決手段】  感光体が成型加工によるリブのない駆動伝達要素にて一体的に駆動されるタンデム型のカラー画像形成装置において、従動ギヤのゲート間隔が円周方向に等間隔であって、感光体の露光から転写間の角度をα、ゲート間の角度をβとするとき、α≒ｎ×β（ｎは整数）となるように露光装置３、転写ベルト４を配置構成することにより、感光体の回転速度変動周期を露光〜転写間時間の整数分の１とする。【選択図】      図５
2005352326.tif 000002
【特許請求の範囲】
【請求項１】
感光体が成型加工によるリブのない駆動伝達要素にて一体的に駆動されるタンデム型のカラー画像形成装置において、
ゲート間隔が円周方向に等間隔であって、感光体の露光から転写間の角度をα、ゲート間の角度をβとするとき、
α≒ｎ×β（ｎは整数）
である
ことを特徴とするタンデム型カラー画像形成装置。
【請求項２】
請求項１に記載のタンデム型カラー画像形成装置において、
前記駆動伝達要素がギヤである
ことを特徴とするタンデム型カラー画像形成装置。
【請求項３】
請求項１に記載のタンデム型カラー画像形成装置において、
前記駆動伝達要素がウォームホイールギヤである
ことを特徴とするタンデム型カラー画像形成装置。        
【請求項４】
請求項１に記載のタンデム型カラー画像形成装置において、
前記駆動伝達要素がタイミングプーリーである
ことを特徴とするタンデム型カラー画像形成装置。
【請求項５】
請求項１に記載のタンデム型カラー画像形成装置において、
前記駆動伝達要素が歯なしプーリーである
ことを特徴とするタンデム型カラー画像形成装置。  
【請求項６】
請求項１ないし５のいずれかに記載のタンデム型カラー画像形成装置において、
前記画像形成装置は、感光体と作像要素を一体的に保持するプロセスカートリッジを有する
ことを特徴とするタンデム型カラー画像形成装置。
【発明の詳細な説明】
【技術分野】
【０００１】
本発明は、複写機、ファクシミリ、プリンター等の画像形成装置に関し、特にタンデム型カラー画像形成装置の感光体と作像装置の配置構成に関する。
【背景技術】
【０００２】
タンデム式のカラー印字装置において、カラー印字装置において、各色間の色ズレが問題になることがある。人の目においては、色間で５０〜１００μｍ程度のズレがあると、色ズレとして認識する。
【０００３】
色ズレの原因の一つに、各感光体の露光時と転写時の角速度変動の差がある。そこで、感光体に角速度変動があっても、その位相と露光・転写時間を合わせることで、色ズレを発生させなくする提案が、特許文献１、特許文献２など数多くある。具体的例として、感光体の露光〜転写間の移動時間：Ｔ、感光体の速度変動の周期をｔとしたとき、「Ｔ＝ｎｔ（ｎは整数）」とすることで、書込み部で発生する感光体の理想位置からの位置ずれ量と、転写部で発生する感光体理想位置からの位置ずれ量の大きさを等しくでき、その結果、露光部・転写部間での位置ずれをキャンセルすることができるという、ものである。
【０００４】
このような提案においては、感光体の主たる速度変動の周期を、感光体の露光〜転写間の移動時間と等しく、または、その整数分の１にすることが必要となる。例えば、感光体の駆動要素として、ギヤを用いると、ギヤの累積ピッチ誤差や、ギヤの歯の噛合いが速度変動の主要因となる。切削加工のギヤにおいては、累積ピッチ誤差は、作製時の、ドラム軸かん合穴の中心とピッチ円中心のずれが原因で発生するため、感光体の１回転周期となりやすい。
一方、ギヤの歯の噛合いにおける速度変動は、ギヤ感光体１回転時間を歯数で割ったものになることは、説明の必要もない。後者の周期の整数倍を、露光〜転写時間にすることは容易だが、ギヤの噛合い周波数は、感光体の露光〜転写間の時間に対し、高周波であり、位置ずれへの寄与が小さい。累積ピッチ誤差にて発生する速度変動は位置ずれへの寄与が大きいが、その周期を、露光〜転写までの時間の整数分の１にする具体的加工方法は難しい。
【０００５】
実際に、特許文献２おいては、主たる速度変動の周期が、感光体の１／２回転周期で発生すると仮定しており、いかにしてギヤの累積ピッチ誤差による速度変動を、感光体の１／２周期に作りこむのかの説明がない。
その手段として、発明者は、リブつきの成型ギヤを用い感光体を駆動し、リブ間角度と露光〜転写間角度の関係を規定することで、リブピッチ周期の速度変動を与え、この課題を解決する手段の提案を行った。しかし、ギヤの高精度化をはかると、リブ自体がない方がいい。リブがない高精度ギヤを用い、感光体駆動ギヤで発生する回転ムラ周期を、露光〜転写までの時間の整数分の１にする具体的提案はない。
【０００６】
【特許文献１】特公平７−３１４４６号公報
【特許文献２】特公平８−１４７３１号公報
【発明の開示】
【発明が解決しようとする課題】
【０００７】
本発明は、上記事情に鑑みなされたもので、リブなしの高精度駆動伝達要素を用い、１回転の整数分の１の周期で速度変動を簡単に発生させ、かつ、この周期を露光〜転写間時間の整数分の１として、色ズレの小さなタンデムカラー画像形成装置を提供することを課題とする。
【課題を解決するための手段】
【０００８】
上記課題解決のための手段として、本発明は以下の特徴を有している。
請求項１に記載のタンデム型カラー画像形成装置では、感光体が成型加工によるリブのない駆動伝達要素にて一体的に駆動される画像形成装置において、前記画像形成装置は、
ゲート間隔が円周方向に等間隔であって、感光体の露光から転写間の角度をα、ゲート間の角度をβとするとき、α≒ｎ×β（ｎは整数）であることを特徴とする。
請求項２に記載のタンデム型カラー画像形成装置では、前記画像形成装置は前記駆動伝達要素がギヤであることを特徴とする。
請求項３に記載のタンデム型カラー画像形成装置では、前記画像形成装置は前記駆動伝達要素がウォームホイールギヤであることを特徴とする。
請求項４に記載のタンデム型カラー画像形成装置では、前記画像形成装置は前記駆動伝達要素がタイミングプーリーであることを特徴とする。
請求項５に記載のタンデム型カラー画像形成装置では、前記画像形成装置は前記駆動伝達要素が歯なしプーリーであることを特徴とする。
請求項６に記載のタンデム型カラー画像形成装置では、前記画像形成装置は  請求項１ないし５のいずれかに記載のタンデム型カラー画像形成装置において、感光体と作像要素を一体的に保持するプロセスカートリッジを有することを特徴とする。
【発明の効果】
【０００９】
本発明は、上記解決するための手段により、高精度のリブなし成形品による従動ギヤ、ウォームホイールギヤ、従動タイミングプーリを用い、感光体の速度変動の周期を、露光〜転写間時間の整数分の１とすることにより、感光体の回転速度変動による画像の位置ずれを極小とする画像形成装置を提供することができる。
【発明を実施するための最良の形態】
【００１０】
本発明の第１の実施例を説明する。
タンデム式カラー印字装置には、４本の感光体がある。モータの出力軸にギヤ（以後「駆動ギヤ」）が取付けてある。感光体の駆動軸に、樹脂の成形品のギヤ（以後「従動ギヤ」）が一体的に取り付けてある（第1図、第５図：第５図で、ＹＭＣへの感光体への駆動伝達系は省略）。
従動ギヤは、リブがなく、円周方向に均一に、５箇所のゲートがある（第２図）。従動ギヤは、ゲート位置での成形直後の収縮のし方が異なるため、従動ギヤのピッチ円形状は、ゲート位置を凹とした星型になってしまう（もちろん、リブつきのギヤに比べ、その凹凸は小さい）（第３図）。その結果、この従動ギヤで駆動される感光体の角速度変動は、ゲートの位置に連動した周期を有する（第４図）。
【００１１】
このような装置ではゲートは、等間隔に５箇所にあるので、ゲート間隔角度をβとすると、
β＝72°
である。従って、露光〜転写間角度をαとしたとき、
α＝144°
とすれば
α＝2×β
となる。このようにすることで、リブのない高精度樹脂成型ギヤを用いて、感光体の速度変動の周期を、露光〜転写間の時間の、整数分の１とすることができる。
【００１２】
請求項において、α≒ｎβとなると説明した。ｎは、整数であれば、各感光体の角速の位相は完全に一致するので、この周期で発生する色ズレは最小にできる。また、ｎが「（整数）＋０．５」といった値であると、位相が逆転するので、色ズレは最大になる。従って、ｎは整数でなくとも、「（整数）±０．１」程度であれば、ほぼ位相が一致するので、色ズレを低減できる。つまり、上記式が、ｎ＝「（整数）±０．１」の範囲で成り立てば、本発明に属する。
【００１３】
露光〜転写間角度は、装置全体のレイアウトから決まる。また、従動ギヤのゲート位置は、成型条件などから決まるが、その自由度は高い。実際には、露光〜転写間角度にあわせて、従動ギヤのゲート位置を決めればいい。
本例は樹脂成形のギヤで説明したが、ダイキャストなどの金属が材料で、成形されたギヤであっても、本発明に属することは言うまでもない。
【００１４】
第２の実施例を説明する。
タンデム式カラー印字装置には、４本の感光体がある。感光体の駆動軸に、樹脂の成形品のウォームホイールギヤが一体的に取り付けてある。このウォームホイールギヤは、モータの出力軸と一体的に回転するウォームギヤと直接噛合い駆動が伝達される。このような構成で、４本の感光体は、一つのモータで駆動される（第６図）。このような構成にすることで、１個のモータで、簡単にすべての感光体を駆動することができる。
【００１５】
ウォームホイールギヤには、円周方向に均一に、７箇所のゲートがある（第７図）。ウォームホイールギヤは、ゲート位置での成形直後の収縮のし方が異なるため、ウォームホイールギヤのピッチ円形状は、ゲート位置を凹とした星型になってしまう（もちろん、リブつきのギヤに比べ、その凹凸は小さい）（第８図）。その結果、このウォームホイールギヤで駆動される感光体の角速度変動は、ゲートの位置に連動した周期を有する（第４図）。
【００１６】
このような装置で、露光〜転写間角度をαとしたとき、
α＝154.3°
とすればよい。
ゲートは、等間隔に７箇所あるので、ゲート間隔角度をβとすると、
β＝51.4°
である。従って、
α＝3×β
となる。このようにすることで、リブのない高精度樹脂成型ウォームホイールギヤを用いて、感光体の速度変動の周期を、露光〜転写間の時間の、整数分の１とすることができる。
【００１７】
第３の実施例の説明をする。
タンデム式カラー印字装置の感光体は、タイミングベルトを介して駆動を伝達される（第９図：第９図で、ＹＭＣへの感光体への駆動伝達系は省略）。モータの出力軸にタイミングプーリ（以後「駆動タイミングプーリ」）が圧入等の手段で取付けてある。感光体の駆動軸に、樹脂の成形品のタイミングプーリ（以後「従動タイミングプーリ」）が一体的に取り付けてある。タイミングベルトを用いることで、感光体とモータの位置を離すことができ、レイアウト上の制約がなくなり、装置の小型化が図れる。
【００１８】
従動タイミングプーリは、円周方向に均一に、８箇所のゲートがある。ゲート位置での成形直後の収縮のし方が異なるため、従動タイミングプーリのピッチ円形状は、ゲート位置を凹とした星型になってしまう（もちろん、リブつきのプーリに比べ、その凹凸は小さい）（第10図）。その結果、この従動タイミングプーリで駆動される感光体の角速度変動は、ゲートの位置に連動した周期を有する（第４図）。
【００１９】
このような装置で、露光〜転写間角度をαとしたとき、
α＝135°
とすればよい。
ゲートは、等間隔に８箇所あるので、ゲート間隔角度をβとすると、
β＝45°
である。従って、
α＝3×β
となる。このようにすることで、高精度なリブなし樹脂成型タイミングプーリを用いて、感光体の速度変動の周期を、露光〜転写間の時間の、整数分の１とすることができる。
【００２０】
第４の実施例を説明する。
カラー印字装置においては、色ズレ低減と共に、バンディング低減も重要な課題である。バンディングは、感光体駆動ギヤや、駆動ベルトの１歯の噛合いが原因になることが多い。そこで、この噛合い周波数をなくすため、スチールベルト・Ｖベルトなど、歯なしの駆動要素にて、モータからの駆動伝達を行なう方法が見なおされつつある。
【００２１】
タンデム式カラー印字装置の感光体は、スチールベルトにて、駆動を伝達される。モータの出力軸に駆動プーリ（以後「駆動プーリ」）が圧入等の手段で取付けてある。感光体の駆動軸に、樹脂の成形品のプーリ（以後「従動プーリ」）が一体的に取り付けてある。従動プーリは、円周方向に均一に、６箇所のゲートがある。ゲート位置での成形直後の収縮のし方が異なるため、従動プーリのピッチ円形状は、ゲート位置を凹とした星型になってしまう（もちろん、リブつきのプーリに比べ、その凹凸は小さい）（第12図）。その結果、この従動プーリで駆動される感光体の角速度変動は、ゲートの位置に連動した周期を有する（第４図）。
【００２２】
このような装置で、露光〜転写間角度をαとしたとき、
α＝180°
とすればよい。
ゲートは、等間隔に６箇所あるので、ゲート間隔角度をβとすると、
β＝60°
である。従って、
α＝3×β
となる。このようにすることで、高精度なリブなし樹脂成型プーリを用いて、感光体の速度変動の周期を、露光〜転写間の時間の、整数分の１とすることができる。
【００２３】
近年、ユーザメンテナンスが容易なように、感光体と帯電、現像、クリーニングといった作像ユニットを一体的に保持した構成（以下、プロセスカートリッジと呼ぶ）の電子写真装置がある。タンデムカラーの装置においても、ユーザメンテナンスを行うものもある。
このような装置においては、プロセスカートリッジの感光体に従動ギヤを一体的に取付ける。従動ギヤは、高精度化のためリブがない。ゲートは円周方向に均等な間隔で設けられている。感光体の露光から転写間の角度をα、ゲート間の角度をβとするとき、
α≒ｎ×β（ｎは整数）
とすることで、ユーザメンテナンスが容易で、かつ、色ずれが小さい電子写真装置とできる。（第13図）
【００２４】
なお、プロセスカートリッジの構成で、ギヤ以外の駆動要素（例えばタイミングベルト）で感光体を回転させるものにおいては、感光体とタイミングプーリを、回転変動が生じないカップリング（例えば、テーパを利用したもの）で締結するようにする。（第14図）
【００２５】
次に、上記の高精度駆動伝達要素を用い、感光体の回転速度変動周期を露光〜転写時間の整数分の１に調整した、本発明のタンデム型カラー画像形成装置本体の構成と動作について説明する。
今日、電子写真装置では、市場からの要求にともない、カラー複写機やカラープリンタなど、カラーのものが多くなってきている。
カラー電子写真装置には、１つの感光体のまわりに複数色の現像装置を備え、それらの現像装置でトナーを付着させて感光体上に合成トナー画像を形成し、そのトナー画像を転写してシートにカラー画像を記録する、いわゆる１ドラム型のものと、並べて備える複数の感光体にそれぞれ個別に現像装置を備え、各感光体上にそれぞれ単色トナー画像を形成し、それらの単色トナー画像を順次転写してシートに合成カラー画像を記録する、いわゆるタンデム型のものとがある。
【００２６】
１ドラム型とタンデム型とを比較すると、前者には、感光体が１つであるから、比較的小型化でき、コストも低減できる利点はあるものの、１つの感光体を用いて複数回（通常４回）画像形成を繰り返してフルカラー画像を形成するから、画像形成の高速化には困難である、後者は、逆に大型化し、コスト高となる欠点はあるものの、画像形成の高速化が容易である利点がある。
最近は、フルカラーもモノクロ並みのスピード要求が望まれることから、タンデム型が注目されてきている。
タンデム型の電子写真装置には、各感光体１上の画像を転写装置２により、シート搬送ベルト３で搬送するシートｓに順次転写する直接転写方式のものと、各感光体１上の画像を１次転写装置２によりいったん中間転写体４に順次転写して後、その中間転写体４上の画像を２次転写装置５によりシートｓに一括転写する間接転写方式のものとがある。転写装置５は転写搬送ベルトであるが，ローラ形状も方式もある。
【００２７】
以下、図面を参照しつつ、この発明の実施の形態につき説明する。
図１５は、この発明の一実施の形態を示すもので、タンデム型間接転写方式の電子写真装置である。
図中符号１００は複写装置本体、２００はそれを載せる給紙テーブル、３００は複写装置本体１００上に取り付けるスキャナ、４００はさらにその上に取り付ける原稿自動搬送装置（ＡＤＦ）である。
複写装置本体１００には、中央に、無端ベルト状の中間転写体１０を設ける。中間転写体１０は、ベース層を、例えば伸びの少ないフッ素系樹脂や伸びの大きなゴム材料に帆布など伸びにくい材料で構成された基層をつくり、その上に弾性層を設ける。弾性層は、例えばフッ素系ゴムやアクリロニトリル−ブタジエン共重合ゴムなどでつくる。
その弾性層の表面は、例えばフッ素系樹脂をコーティングして平滑性のよいコート層で被ってなる。
【００２８】
そして、図１５に示すとおり、図示例では３つの支持ローラ１４・１５・１６に掛け回して図中時計回りに回転搬送可能とする。
この図示例では、３つのなかで第２の支持ローラ１５の左に、画像転写後に中間転写体１０上に残留する残留トナーを除去する中間転写体クリーニング装置１７を設ける。
また、３つのなかで第１の支持ローラ１４と第２の支持ローラ１５間に張り渡した中間転写体１０上には、その搬送方向に沿って、イエロー，シアン，マゼンタ，ブラックの４つの画像形成手段１８を横に並べて配置してタンデム画像形成装置２０を構成する。
【００２９】
そのタンデム画像形成装置２０の上には、さらに露光装置２１を設ける。
一方、中間転写体１０を挟んでタンデム画像形成装置２０と反対の側には、２次転写装置２２を備える。２次転写装置２２は、図示例では、２つのローラ２３間に、無端ベルトである２次転写ベルト２４を掛け渡して構成し、中間転写体１０を介して第３の支持ローラ１６に押し当てて配置し、中間転写体１０上の画像をシートに転写する。
２次転写装置２２の横には、シート上の転写画像を定着する定着装置２５を設ける。定着装置２５は、無端ベルトである定着ベルト２６に加圧ローラ２７を押し当てて構成する。
上述した２次転写装置２２には、画像転写後のシートをこの定着装置２５へと搬送するシート搬送機能も備えてなる。もちろん、２次転写装置２２として、転写ローラや非接触のチャージャを配置してもよく、そのような場合は、このシート搬送機能を併せて備えることは難しくなる。
なお、図示例では、このような２次転写装置２２および定着装置２５の下に、上述したタンデム画像形成装置２０と平行に、シートの両面に画像を記録すべくシートを反転するシート反転装置２８を備える。
【００３０】
さて、いまこのカラー電子写真装置を用いてコピーをとるときは、原稿自動搬送装置４００の原稿台３０上に原稿をセットする。または、原稿自動搬送装置４００を開いてスキャナ３００のコンタクトガラス３２上に原稿をセットし、原稿自動搬送装置４００を閉じてそれで押さえる。
そして、不図示のスタートスイッチを押すと、原稿自動搬送装置４００に原稿をセットしたときは、原稿を搬送してコンタクトガラス３２上へと移動して後、他方コンタクトガラス３２上に原稿をセットしたときは、直ちにスキャナ３００を駆動し、第１走行体３３および第２走行体３４を走行する。そして、第１走行体３３で光源から光を発射するとともに原稿面からの反射光をさらに反射して第２走行体３４に向け、第２走行体３４のミラーで反射して結像レンズ３５を通して読取りセンサ３６に入れ、原稿内容を読み取る。
【００３１】
また、不図示のスタートスイッチを押すと、不図示の駆動モータで支持ローラ１４・１５・１６の１つを回転駆動して他の２つの支持ローラを従動回転し、中間転写体１０を回転搬送する。同時に、個々の画像形成手段１８でその感光体４０を回転して各感光体４０上にそれぞれ、ブラック・イエロー・マゼンタ・シアンの単色画像を形成する。そして、中間転写体１０の搬送とともに、それらの単色画像を順次転写して中間転写体１０上に合成カラー画像を形成する。
【００３２】
一方、不図示のスタートスイッチを押すと、給紙テーブル２００の給紙ローラ４２の１つを選択回転し、ペーパーバンク４３に多段に備える給紙カセット４４の１つからシートを繰り出し、分離ローラ４５で１枚ずつ分離して給紙路４６に入れ、搬送ローラ４７で搬送して複写機本体１００内の給紙路４８に導き、レジストローラ４９に突き当てて止める。
または、給紙ローラ５０を回転して手差しトレイ５１上のシートを繰り出し、分離ローラ５２で１枚ずつ分離して手差し給紙路５３に入れ、同じくレジストローラ４９に突き当てて止める。
そして、中間転写体１０上の合成カラー画像にタイミングを合わせてレジストローラ４９を回転し、中間転写体１０と２次転写装置２２との間にシートを送り込み、２次転写装置２２で転写してシート上にカラー画像を記録する。
【００３３】
画像転写後のシートは、２次転写装置２２で搬送して定着装置２５へと送り込み、定着装置２５で熱と圧力とを加えて転写画像を定着して後、切換爪５５で切り換えて排出ローラ５６で排出し、排紙トレイ５７上にスタックする。または、切換爪５５で切り換えてシート反転装置２８に入れ、そこで反転して再び転写位置へと導き、裏面にも画像を記録して後、排出ローラ５６で排紙トレイ５７上に排出する。
一方、画像転写後の中間転写体１０は、中間転写体クリーニング装置１７で、画像転写後に中間転写体１０上に残留する残留トナーを除去し、タンデム画像形成装置２０による再度の画像形成に備える。
【００３４】
ここで、レジストローラ４９は一般的には接地されて使用されることが多いが，シートの紙粉除去のためにハ゛イアスを印加することも可能である。
上述したタンデム画像形成装置２０において、個々の画像形成手段１８は、ドラム状の感光体のまわりに、帯電装置、現像装置、１次転写装置、感光体クリーニング装置、除電装置などを備えてなる。
【図面の簡単な説明】
【００３５】
【図１】本発明の感光体のギヤ駆動系の説明図である。
【図２】リブなしゲート５箇所の従動ギヤの説明図である。
【図３】リブなしゲート５箇所の従動ギヤのピッチ円形状の説明図である。
【図４】リブなしゲートありの駆動要素（従動ギヤなど）で駆動したときの感光体の角速度の説明図である。
【図５】第1の実施例である露光〜転写間角度αの説明図である。
【図６】第２の実施例であるウォームギヤで駆動するときの露光〜転写間角度α説明図である。
【図７】リブなしゲート７箇所のウォームホイールギヤの説明図である。
【図８】リブなしゲート７箇所のウォームホイールギヤのピッチ円形状の説明図である。
【図９】第３の実施例であるタイミングベルトで駆動するときの露光〜転写間角度αの説明図である。
【図１０】リブなしゲート８箇所のリブ付き従動タイミングプーリの外周円形状の説明図である。
【図１１】第４の実施例である歯なしベルトで駆動するときの露光〜転写間角度αの説明図である。
【図１２】リブなしゲート６箇所の従動プーリの外周円形状の説明図である。
【図１３】ギヤで感光体を駆動するプロセスカートリッジの説明図である。
【図１４】タイミングベルトで感光体を駆動するプロセスカートリッジの説明図である。
【図１５】本発明のタンデムカラー画像形成装置の一実施例を示す構成概略図である。
【符号の説明】
【００３６】
１  感光体
２  モータ
３  レーザ書込み光
４  転写ベルト
１０  従動ギヤ
１１  駆動ギヤ
１３  従動ギヤのゲート
１４  従動ギヤのピッチ円形状
１５  アイドラギヤ
２０  従動タイミングプーリ
２１  駆動タイミングプーリ
２２  タイミングベルト
２３  従動タイミングプーリのゲート
２４  従動タイミングプーリのピッチ円形状
３０  従動プーリ
３１  駆動プーリ
３２  スチールベルト
３３  従動プーリのゲート、
３４  従動プーリの外周円形状
４０  ウォームホイールギヤ
４１  ウォームギヤ
４２  ウォームホイールギヤのゲート、
４３  ウォームホイールギヤのピッチ円形状
４４  駆動軸
４５  軸継ぎ手
５０  プロセスカートリッジ
５１  現像駆動ギヤ
５２  現像従動ギヤ
５５  テーパタイプ駆動カップリング
Ａ  プロセスカートリッジ着脱方向
Ｋ  ブラック
Ｙ  イエロー
Ｍ  マゼンタ
Ｃ  シアン
F  カラー
【図１】
2005352326.tif 000003
【図２】
2005352326.tif 000004
【図３】
2005352326.tif 000005
【図４】
2005352326.tif 000006
【図５】
2005352326.tif 000007
【図６】
2005352326.tif 000008
【図７】
2005352326.tif 000009
【図８】
2005352326.tif 000010
【図９】
2005352326.tif 000011
【図１０】
2005352326.tif 000012
【図１１】
2005352326.tif 000013
【図１２】
2005352326.tif 000014
【図１３】
2005352326.tif 000015
【図１４】
2005352326.tif 000016
【図１５】
2005352326.tif 000017